(57)【要約】      （修正有）【課題】脱着式パーツ付きの電熱服を提供する。【解決手段】電熱服は、裏地を有する衣類本体１と、第１電熱モジュール２と、脱着式パーツ３と、第２電熱モジュール４と、を備える。第１電熱モジュールは、裏地１１に固定され、第１電熱エレメント２１と、給電アセンブリ２２と、第１導電性接合材と、第１電線と、を含み、第１電線が第１電熱エレメント、給電アセンブリ及び第１導電性接合材２３に接続される。脱着式パーツは、衣類本体に組み付けるか、又は取り外すことができ、内層３１を有する。第２電熱モジュールは、内層に固定され、第２電熱エレメント４１と、第２電熱エレメントと、第２導電性接合材４２と、第２電線４３と、を含み、第２導電性接合材が第１導電性接合材に組み付けるか、又は取り外すことができる。第２電線は、第２電熱エレメントおよび第２導電性接合材に接続される。【選択図】図１
0003233757.tif 000002
【実用新案登録請求の範囲】
【請求項１】
裏地を有する衣類本体と、
少なくとも１つの第１電熱エレメントと、給電アセンブリと、第１導電性接合材と、前記少なくとも１つの第１電熱エレメント、前記給電アセンブリ及び前記第１導電性接合材に電気的に接続される第１電線と、を含み、前記裏地に固定された第１電熱モジュールと、
内層を有し、前記衣類本体に組み付けるか、又は取り外すことができる脱着式パーツと、
少なくとも１つの第２電熱エレメントと、前記第１導電性接合材に組み付けるか、又は取り外すことができる第２導電性接合材と、前記少なくとも１つの第２電熱エレメント及び前記第２導電性接合材に電気的に接続される第２電線を含み、前記内層に固定された第２電熱モジュールと、
を備える脱着式パーツ付きの電熱服。
【請求項２】
給電アセンブリは、電源コネクタと、モバイル電源と、を含み、前記第１電線が前記電源コネクタに電気的に接続され、前記電源コネクタが前記モバイル電源に抜き差しすることができる請求項１に記載の脱着式パーツ付きの電熱服。
【請求項３】
前記裏地は、前記電源コネクタの下に設けられたポケットを有し、前記モバイル電源が前記ポケットに入れることができる請求項２に記載の脱着式パーツ付きの電熱服。
【請求項４】
前記第１電熱モジュールは、前記第１電線と電気的に接続するコントロールスイッチをさらに含む請求項１に記載の脱着式パーツ付きの電熱服。
【請求項５】
前記少なくとも１つの第１電熱エレメント及び前記少なくとも１つの第２電熱エレメントは、電熱フィラメント、電熱線、電熱シート及び電熱性コーティングのいずれか一つである請求項１に記載の脱着式パーツ付きの電熱服。
【請求項６】
前記第１導電性接合材及び前記第２導電性接合材が、対応するオス・メス型コネクタである請求項１に記載の脱着式パーツ付きの電熱服。
【請求項７】
前記第１導電性接合材及び前記第２導電性接合材が、対応する導電性スナップボタンである請求項１に記載の脱着式パーツ付きの電熱服。
【請求項８】
前記衣類本体と前記脱着式パーツを固着する連結アセンブリをさらに備え、前記脱着式パーツが前記連結アセンブリを通じて前記衣類本体に組み付けるか、又は取り外すことができ、前記連結アセンブリは、ジッパー、複数のスナップボタン及び面ファスナーのいずれか一つである請求項１に記載の脱着式パーツ付きの電熱服。
【請求項９】
前記連結アセンブリは、前記複数のスナップボタンであり、前記第１導電性接合材及び前記第２導電性接合材が前記複数のスナップボタンのうちの対応する導電性スナップボタンである請求項８に記載の脱着式パーツ付きの電熱服。
【請求項１０】
前記衣類本体は、ベストであり、前記脱着式パーツが袖又は襟である請求項１に記載の脱着式パーツ付きの電熱服。
【考案の詳細な説明】
【技術分野】
【０００１】
本考案は、電気加熱できるジャケット、ベスト、上着又はパンツなどの衣服の構造に関し、特に、脱着式パーツ付きの電熱服に関する。
【背景技術】
【０００２】
近年、ジャケット、ベスト、上着又はパンツ等の衣類内に電熱フィラメント、電熱線、電熱シート及び電熱性コーティング等を装着し、電流を電熱フィラメント、電熱線、電熱シート及び電熱性コーティングに流して発熱させることで、着用者の身体を温める電熱ウェアが市場に出回っている。
【０００３】
しかし、従来の電熱ウェアは、次の欠点を有し、一つ目は電熱ウェアの価格が高く、天候に合わせてジャケット又はベスト等の異なるタイプの電熱ウェアを購入した場合、容易に予算オーバーや支出超過の事態に陥ることであり、二つ目はバッテリーがほとんど衣類の裏地に縫着或いは接着されているため、バッテリーに故障又は損傷が起きたとき、着用者自身で取り外して交換することができなかった。
【０００４】
これに鑑み、本考案者は、上記の従来技術の欠陥に対し、鋭意研究を重ねると共に学理の運用を組み合わせ、上記問題点を解決することに努めた結果、本考案者の改良の目標となった。
【考案の概要】
【考案が解決しようとする課題】
【０００５】
本考案は、脱着式パーツを利用して衣類本体に組み付けるか、又は取り外すことができることで、本考案の電熱服に天候に応じて脱着式パーツの増減、保温性の向上、経費削減等の特徴を持たせる脱着式パーツ付きの電熱服を提供する。
【課題を解決するための手段】
【０００６】
本考案の実施形態において、本考案によって提供される脱着式パーツ付きの電熱服は、裏地を有する衣類本体と、少なくとも１つの第１電熱エレメントと給電アセンブリと第１導電性接合材と前記少なくとも１つの第１電熱エレメント、前記給電アセンブリ及び前記第１導電性接合材に電気的に接続される第１電線とを含み、前記裏地に固定された第１電熱モジュールと、内層を有し、前記衣類本体に組み付けるか、又は取り外すことができる脱着式パーツと、少なくとも１つの第２電熱エレメントと前記第１導電性接合材に組み付けるか、又は取り外すことができる第２導電性接合材と前記少なくとも１つの第２電熱エレメント及び前記第２導電性接合材に電気的に接続される第２電線を含み、前記内層に固定された第２電熱モジュールと、を備える。
【考案の効果】
【０００７】
上記によれば、脱着式パーツは、衣類本体に組み付けるか、又は取り外すことができ、衣類本体の内部に第１電熱モジュールが取り付けられ、脱着式パーツの内部に第２電熱モジュールが取り付けられ、電熱服の着用者自身でニーズに応じて衣類本体に脱着式パーツを取り付けるか、又は取り外すようにさせ、かつ衣類本体及び脱着式パーツが均しく電熱機能を備えるため、本考案の電熱服は天候に応じて脱着式パーツを増減させ、保温性を向上させるという特徴を持っている。
【図面の簡単な説明】
【０００８】
【図１】本考案に係る電熱服の立体組立図である。
【図２】本考案に係る電熱服の立体分解図である。
【図３】本考案に係る電熱服の使用状態を示す概略図である。
【考案を実施するための形態】
【０００９】
以下、本考案の詳細な説明及び技術内容は、図面を参照しつつ説明するが、図面は例示のみを目的としており、本考案を限定することを意図するものではない。
【００１０】
図１乃至図３を参照すると、本考案は、脱着式パーツ付きの電熱服を提供する。この電熱服１０は、主に衣類本体１と、第１電熱モジュール２と、１つ又は複数の脱着式パーツ３と、１つ又は複数の第２電熱モジュール４と、を備える。
【００１１】
衣類本体１は、裏地１１を有し、裏地１１がポケット１１１を有する。ここで、本実施例の衣類本体１は、ベストであるが、これに限定されるものではなく、衣類本体１もジャケット、上着又はパンツであり得る。
【００１２】
第１電熱モジュール２は、裏地１１に固定され、１つ又は複数の第１電熱エレメント２１と、給電アセンブリ２２と、第１導電性接合材２３と、第１電線２４と、コントロールスイッチ２５と、を含む。
【００１３】
本実施例の給電アセンブリ２２は、電源コネクタ２２１と、モバイル電源２２２と、を含み、第１電線２４が電源コネクタ２２１に電気的に接続され、電源コネクタ２２１がモバイル電源２２２に抜き差しすることができる。
【００１４】
なお、衣類本体１のポケット１１１は、電源コネクタ２２１の下に設けられ、モバイル電源２２２がポケット１１１内に入れられて収納できるため、モバイル電源２２２の持ち運びに便利である。
【００１５】
第１電線２４は、第１電熱エレメント２１、給電アセンブリ２２、第１導電性接合材２３及びコントロールスイッチ２５に電気的に接続される。第１電線２４は、まず給電アセンブリ２２の電流をコントロールスイッチ２５に流してからコントロールスイッチ２５が電流を第１電熱エレメント２１及び第１導電性接合材２３に流すか否かを制御する。
【００１６】
脱着式パーツ３は、衣類本体１に組み付けるか、又は取り外すことができ、内層３１を有する。ここで、本実施例の脱着式パーツ３の数は、複数であり、かつ脱着式パーツ３が袖又は襟であるが、これに限定されるものではなく、脱着式パーツ３も帽子又はポケットでもあり得る。
【００１７】
本考案の電熱服１０は、衣類本体１と脱着式パーツ３を固着する連結アセンブリ５をさらに備え、脱着式パーツ３が連結アセンブリ５を通じて衣類本体１に組み付けるか、又は取り外すことができ、連結アセンブリ５はジッパー、複数のスナップボタン及び面ファスナーのいずれか一つである。
【００１８】
本実施例の第２電熱モジュール４の数は、複数であるが、これに限定されるものではなく、各第２電熱モジュール４が内層３１に固定され、第２電熱モジュール４が１つ又は複数の第２電熱エレメント４１と、第２導電性接合材４２と、第２電線４３と、を含む。
【００１９】
第２電線４３は、１つ又は複数の第２電熱エレメント４１及び第２導電性接合材４２に電気的に接続され、第２導電性接合材４２が第１導電性接合材２３に組み付けるか、又は取り外すことができることため、給電アセンブリ２２の電流を第１電線２４、第１導電性接合材２３、第２導電性接合材４２及び第２電線４３の順を経由して第２電熱エレメント４１に流す。
【００２０】
なお、本実施例の一部の連結アセンブリ５は、ジッパーであり、他部分の連結アセンブリ５が複数のスナップボタンであり、一部の第１導電性接合材２３及び第２導電性接合材４２が複数のスナップボタンのうちの対応する導電性スナップボタン７であり、他部分の第１導電性接合材２３及び第２導電性接合材４２が対応するオス・メス型コネクタ６である。
【００２１】
また、第１電熱エレメント２１及び第２電熱エレメント４１は、各々電熱フィラメント、電熱線、電熱シート及び電熱性コーティングのいずれか一つであり、電流が電熱フィラメント、電熱線、電熱シート及び電熱性コーティングに流れると、発熱して熱量が生じる。
【００２２】
本考案の電熱服１０の使用状態は、脱着式パーツ３が衣類本体１に組み付けるか、又は取り外すことができることを利用し、衣類本体１の内部に第１電熱モジュール２が取り付けられ、脱着式パーツ３の内部に第２電熱モジュール４が取り付けられ、かつ第１電熱モジュール２が第２電熱モジュール４に電流を供給でき、電熱服１０の着用者自身でニーズに応じて衣類本体１に脱着式パーツ３を取り付けるか、又は取り外すようにさせ、かつ衣類本体１及び脱着式パーツ３が均しく電熱機能を備えるため、本考案の電熱服１０は天候に応じて脱着式パーツ３を増減させ、保温性を向上させるという特徴を持っている。
【００２３】
なお、天候に合わせてジャケット又はベスト等の異なるタイプの従来の電熱ウェアを購入する必要があるが、本実施例の衣類本体１をベストとし、脱着式パーツ３が袖及び襟を例にすると、本考案の電熱服１０を購入すると、ベスト及びジャケット等の様々なタイプを備えるため、経費削減の利点を実現する。
【００２４】
さらに、従来のバッテリーがほとんど衣類の裏地に縫着又は接着されるが、本考案の電熱服１０は、自ら取り外すことができるモバイル電源２２２を用いるため、電熱服１０にバッテリーを取得及び交換しやすい効果を持たせる。
【００２５】
上記をまとめると、本考案の脱着式パーツ付きの電熱服は、確実に予期する使用目的を達成し、従来の欠陥を解決でき、産業上の利用可能性、新規性及び進歩性を有し、特許出願要件に完全に適合するので、特許法に基づいて出願し、考案者の権利を保障するため、ご精査の上特許査定を賜りますようお願い申し上げます。
【符号の説明】
【００２６】
１０  電熱服
１  衣類本体
１１  裏地
１１１  ポケット
２  第１電熱モジュール
２１  第１電熱エレメント
２２  給電アセンブリ
２２１  電源コネクタ
２２２  モバイル電源
２３  第１導電性接合材
２４  第１電線
２５  コントロールスイッチ
３  脱着式パーツ
３１  内層
４  第２電熱モジュール
４１  第２電熱エレメント
４２  第２導電性接合材
４３  第２電線
５  連結アセンブリ
６  スナップボタン型コネクタ
７  導電性スナップボタン
【図１】
0003233757.tif 000003
【図２】
0003233757.tif 000004
【図３】
0003233757.tif 000005